(57)【要約】      （修正有）【課題】しわが寄らず、眠るときに、ユーザにより良い快適さを与え、折りたたみ易く、収納し易いマットレスケースを提供する。【解決手段】マットレスケースを使用する際の上部１及び下部２は、マットレスケースの側両端部４、５で、運用又は使用位置において、ボタン、ジッパー、リボン、留め金、あるいは、面ファスナー、によって閉じられ、マットレスケースが使用位置にあり、マットレスの長さを超える２つの伸展部によって留まるとき、頭部に面する部分及び足部に面する部分の両方における、長さを超えた端部は、頭側及び足側の両方のマットレスの下に差し込まれ、マットレスケースが完全にマットレスに適合することができる。【選択図】図１
0003223607.tif 000002
【実用新案登録請求の範囲】
【請求項１】
マットレスケースであって、側両端部が接触して、これらの反対側を整えて閉じるまで、長軸方向に折りたたまれている前記マットレスケースの側両端部（４及び５）（図１）を示す一般的な矩形構造の布又は布のシーツを含むという理由から：
側面Ａ又は上部（１）（図１）及び側面Ｂ又は下部（２）（図１）は、そのため、運用又は使用位置において、これらの反対側が、覆いに個々の特徴を与える市場の趣向に応じた、ボタン、ジッパー、リボン、留め金、又はベルクロ（登録商標）によって閉じられ；
前記側面Ａ及びＢ（下部及び上部）が、マットレス（図１の３）に前記マットレスケースを配置するために、所望により縫目線又は描くことによって布地に印がつけられるこれらの２つの面との間に延在する側面でつながっており、使用位置において前記マットレスケースが、頭部に面する部分及び足部に面する部分の両方における前記マットレスの長さを超える２つの伸展部によって留まるとき、これらの余分な端部は、ヘッドボード側及び足部の両方の前記マットレスの下に差し込まれ、前記マットレスケースが完全に前記マットレス（６及び７）（図２）に完全に適合することができることを特徴とするマットレスケース。
【請求項２】
綿又はリネンのような柔らかくて上質の布でできているため、吸収型の布又は可塑性材料を有する布ではないことを特徴とする、請求項１に記載のマットレスケース。
【請求項３】
側面Ａ又は側面Ｂを使用するとき、覆いが回転するために両面を有する上面が付随し、ホテル部門又は家庭内の使用中に管理手段として、各側面に割り当てられるように２つの色違いからなることができることを特徴とするマットレスケース。
【考案の詳細な説明】
【技術分野】
【０００１】
本考案は、織物製品に関する。
【背景技術】
【０００２】
本事案において、「マットレスケース」のようなものが公知ではなく、最も近いものとして「調節可能なシート」が公知となっている。
【０００３】
２０年前頃まで、商業及び家庭において、我々は、日常使用のマットレスをカバーするために用いられたこれらの矩形品を有しており（ホテルにおいて、ほぼ独占的に、それらが、このような方法で依然として使用されている）、それから、これらの「シーツ」が現れた。シーツは、丸められた形状を有して四隅で伸縮し、付加的製品が適所でそれらを固定するように保持すること必要とする。
【考案の概要】
【考案が解決しようとする課題】
【０００４】
以下は本課題である：
１．ユーザは選択することができず、目下これが唯一のもの、つまり商取引のものある。
２．シーツは短く、マットレスの両側面を離れる。
３．シーツが非常に短いといった事実によって、ユーザが眠る間にそれらは隅を離れ、朝には、ユーザは不快を感じ、ベッドはすっかり乱雑となる。
４．中心領域の大きな摩耗によって生じる、シーツのしわが中心に寄る。
５．アイロン及び折りたたみが困難であり、故に収納も困難であるため、インターネット上で、シーツを曲げる方法を学ぶコースを提供している。
【０００５】
現在では、適所に留まるために付加的製品を必要とし、四隅にゴムを備える矩形シートからなる「調節可能なシーツ」が、本主題において公知である。
【課題を解決するための手段】
【０００６】
マットレスケースは、ジッパー、スナップ、ボタン、又はリボンを有する長手方向の一端によってぴったりと閉じて、マットレスを完全にカバーする種類の矩形体からなり、足部に対してヘッドボードを与える両側面において、それらは内側に曲がって、帯を固定し、就寝時にベッドが整った状態を保つ。それが２つの面（マットレス上部の側面「Ａ」及び地面に面する側面「Ｂ」）を有するので、数日間、側面「Ａ」を使用した後、ユーザはマットレス又はマットレスケースを逆さにして、それを洗濯する前に、側面「Ｂ」上でさらに二日間それを使用することができる。
【０００７】
どれくらいの頻度でシーツがホテルで交換されるかという情報が改められ、平均して、それが３日毎に行われ、両側面で使用される場合、水及び洗剤の消費を大幅に減らすことになる。
【０００８】
このマットレスケースはまた、二重の表面を備える上部を有し、側面Ｂでマットレスケースを使用する場合にそれを逆さにする。
【０００９】
本製品は、現行の代替品がもたらす不快感を解決することを目的としており、さらに、「マットレスケース」は、多くの付加的利点を有する：
１．代替的購入を提供する。
２．マットレスが完全にカバーされる場合、それが側面から離れず、結果として、ユーザが、きちんとした睡眠が得られることについて心配するだけである。
３．ベッドは整った状態が維持され、ユーザが目覚めたときに、ユーザは準備を整えるために、わずかな修正を必要とするだけである。
４．それにはしわが寄らず、眠るときに、ユーザにより良い快適さを与えることになる。
５．覆いがよれよれにならない。
６．それらは、アイロンがけ、折りたたみ、及び収納が容易であり、ギャザー又はゴムバンドを提示しないことにより、シーツが完全に矩形となるという利点を有し、曲げた後の仕上げが十分ではない、隅にゴムバンドを備える下側シーツと異なり、早くて正確な折りたたみを可能にする。その直線形状に加えて、調節可能な下側シートのしわ及びふぞろいの折りたたみをなくし、簡単で正確なアイロンがけを可能にする。
７．それによって、ユーザが水及び洗剤を節約することができ、ユーザが両側面ともそれを使用することができるで、それを頻繁に洗濯する必要がなく、現代において大きな利点である。
８．それは毎日マットレスの下に取り入れるべきではなく、手首の運動によって毎日多くのベットメイキングをする人たちを助けることになり、筋骨格系（腱炎）を保護する助けとなる。
９．それは、ユーザの目覚め及びその日の気分を変えることになり、ユーザはユーザのベットメイキングをするために、ユーザの子供と戦う必要がなくなり、そして、ユーザのベッドを朝には準備が整ったままにするように何もしなくてよくなる。
１０．それは、ボタン、ゴム、ジッパー、リボン、ベルクロ（登録商標）、ブローチといった、閉じるためのいくつかの代替手段を有する。
【図面の簡単な説明】
【００１０】
【図１】マットレスケースの拡大図を表す。
【図２】マットレスに配置したマットレスケースの斜視図を示す。
【考案を実施するための形態】
【００１１】
好ましいがマットレスケースの本考案の非限定的実施形態は、ファスナー若しくはジッパー、ボタン、ベルクロ（登録商標）、スナップ、又はテープ（図面２の４）によって側面の一端に沿って合わせられ閉じる、マットレスを完全にカバーする織物の一部又は類似した一般的な矩形構造からなり、足部に対してヘッドボードに与える側面に沿って同程度に、それらは内側へ曲がり、睡眠時に整えられた覆いを維持する（図２の６及び７）。
【００１２】
閉じている時には、それは２つの面を有し、数日間、側面「Ａ」を使用した後、２つの面（マットレス上部の側面「Ａ」（図面１の１）及び地面の方にある側面「Ｂ」（図面１の２））を有するので、ユーザはマットレス又はマットレスケースを逆さにして、それを洗濯する前に、側面「Ｂ」上でさらに二日間それを使用することができる。このマットレスケースはまた、二重の表面を備える上面を有し、側面Ｂでマットレスケースを使用する場合にそれを逆さにする。
【００１３】
本製品は、いくつかの利点を有し、現行の代替品がもたらす不快感を解決することを目的とする。
【００１４】
それは、ホテル部門のような家庭用分野において、子供と大人用両方とも用いられることができる。
【００１５】
家庭用分野において、目覚めて、乱れたベッドが見えたとき、つまりどういうわけか「憂鬱に」させ、現行の代替品については、特に真夏日に、真夜中にベッドを整えるために数多く起きなければならないといったことを言及することはないが、くるくると回るような、ユーザが寝に入る問題を有するとき、このモデルを使用すると、ユーザは以前のものに戻ることができず、伸展されしわの無いベッドの快適さを逃すことができなくなるといった実際の考えがある。
【００１６】
両面を有することで、冬及び夏用の側面を有するベッド上のマットレス又はマットレスケースを逆さにする単純な動作により、我々が数日Ａ面を使用し、そして次にＢ面を使用するので、ホテル部門の分野では、筋骨格の負傷に対して手助けをすることになるだろう。
【００１７】
付随的に、多くの日数の間、覆いをする影響で、水の消費量を減らす助けとなり、現代では重要な付随した事項である。
【００１８】
そして、もちろん、多少の織物が必要とされるので、原則として繊維産業を支持するが、その形状のため、それは、覆いの耐用年数を延ばすことになり、その上現行の代替品によって起こる偏摩耗をマットレスの中央に生じさせない。
【００１９】
マットレスケースは、交換及び眠るときにこの移動によって生じる不快感を解決することを目的としており、マットレスに密着した対象物を取り付けたままにしているため、それ故、移動を防止し、夜間にベッドが取り除くので、覆いの移動の影響に起因する、偏摩耗又は以前の代替品がもたらすことに加えて、睡眠及び目覚めるときの懸念をもたらすことはなく、マットレスに合わせた２つの面が、交互使用に利用できる場合；その使用は、家庭用注文品及びホテル部門にて利用できる。
【図１】
0003223607.tif 000003
【図２】
0003223607.tif 000004
【手続補正書】
【提出日】平成29年1月22日(2017.1.22)
【手続補正１】
【補正対象書類名】実用新案登録請求の範囲
【補正対象項目名】全文
【補正方法】変更
【補正の内容】
【実用新案登録請求の範囲】
【請求項１】
マットレスケースであって、側両端部が接触して、これらの反対側を整えて閉じるまで、長軸方向に折りたたまれている前記マットレスケースの側両端部（４及び５）（図１）を示す一般的な矩形構造の布又は布のシーツを含むという理由から：
側面Ａ又は上部（１）（図１）及び側面Ｂ又は下部（２）（図１）は、そのため、運用又は使用位置において、これらの反対側が、覆いに個々の特徴を与える市場の趣向に応じた、ボタン、ジッパー、リボン、留め金、又はベルクロ（登録商標）によって閉じられ；
前記側面Ａ及びＢ（下部及び上部）が、マットレス（図１の３）に前記マットレスケースを配置するために、所望により縫目線又は描くことによって布地に印がつけられるこれらの２つの面との間に延在する側面でつながっており、使用位置において前記マットレスケースが、頭部に面する部分及び足部に面する部分の両方における前記マットレスの長さを超える２つの伸展部によって留まるとき、これらの余分な端部は、ヘッドボード側及び足部の両方の前記マットレスの下に差し込まれ、前記マットレスケースが完全に前記マットレス（６及び７）（図２）に完全に適合することができることを特徴とするマットレスケース。
【請求項２】
綿又はリネンのような柔らかくて上質の布でできているため、吸収型の布又は可塑性材料を有する布ではないことを特徴とする、請求項１に記載のマットレスケース。
【請求項３】
側面Ａ又は側面Ｂを使用するとき、覆いが回転するために両面を有する上面が付随し、ホテル部門又は家庭内の使用中に管理手段として、各側面に割り当てられるように２つの色違いからなることができることを特徴とするマットレスケース。
【手続補正書】
【提出日】令和1年8月20日(2019.8.20)
【手続補正１】
【補正対象書類名】実用新案登録請求の範囲
【補正対象項目名】全文
【補正方法】変更
【補正の内容】
【実用新案登録請求の範囲】
【請求項１】
マットレスケースであって、側両端部が接触して、これらの反対側を整えて閉じるまで、長軸方向に折りたたまれている前記マットレスケースの側両端部（４及び５）を示す一般的な矩形構造の布又は布のシーツを含むという理由から：
前記マットレスケースを使用する際の上部（１）及び下部（２）は、前記マットレスケースの前記側両端部（４及び５）で、運用又は使用位置において、個々の特徴を与える市場の趣向に応じた、ボタン、ジッパー、リボン、留め金、あるいは、面ファスナー、によって閉じられ；
前記マットレスケースが使用位置にあり、前記マットレスの長さを超える２つの伸展部によって留まるとき、頭部に面する部分及び足部に面する部分の両方における、長さを超えた端部は、頭側及び足側の両方のマットレスの下に差し込まれ、前記マットレスケースが完全に前記マットレスに適合することができることを特徴とするマットレスケース。
【請求項２】
綿又はリネンのような柔らかくて上質の布でできているため、吸収型の布又は可塑性材料を有する布ではないことを特徴とする、請求項１に記載のマットレスケース。